(57)【要約】【課題】  本発明は、撮影条件を音声入力により容易に設定できる手段を提供する。【解決手段】  撮像装置は、撮像部と、撮影条件設定部と、表示制御部と、音声受付部と、撮影条件変更部とを備える。撮像部は、被写体の像を撮像して画像を生成する。撮影条件設定部は、画像の撮影条件を設定する。表示制御部は、撮像部により撮像された画像に対応する表示画像を表示装置に表示させる。音声受付部は、表示画像に対応する撮影条件の補正を施す指示入力を音声で受け付ける。撮影条件変更部は、音声受付部により受け付けられた指示入力に応じて、撮影条件を変更させる。【選択図】    図１
2012100214.tif 000002
【特許請求の範囲】
【請求項１】
被写体の像を撮像して画像を生成する撮像部と、
前記画像の撮影条件を設定する撮影条件設定部と、
前記撮像部により撮像された画像に対応する表示画像を表示装置に表示させる表示制御部と、
前記表示画像に対応する前記撮影条件の補正を施す指示入力を音声で受け付ける音声受付部と、
前記音声受付部により受け付けられた前記指示入力に応じて、前記撮影条件を変更させる撮影条件変更部と
を備えることを特徴とする撮像装置。
【請求項２】
請求項１に記載の撮像装置において、
前記表示制御部は、前記指示入力を示す指標を前記音声に応じて前記表示装置に表示させることを特徴とする撮像装置。
【請求項３】
請求項１又は請求項２に記載の撮像装置において、
前記音声に基づく声紋情報を解析して、前記指示入力を認識する音声認識部と、
前記指示入力を示す言葉と前記声紋情報とが対応付けられた指示入力情報を記録する登録部と、をさらに備え、
前記音声認識部は、前記音声に基づく声紋情報と前記指示入力情報に基づく声紋情報とを照合することにより、前記言葉を特定して前記指示入力を認識することを特徴とする撮像装置。
【請求項４】
請求項３に記載の撮像装置において、
前記表示画像が記録用の静止画像であって、同一の言葉が複数の回数に亘って発せられたと前記音声認識部が認識した場合には、前記撮影条件設定部は、前記言葉に基づく前記指示入力の設定値を前記回数に応じて補正することを特徴とする撮像装置。
【請求項５】
請求項３に記載の撮像装置において、
前記表示画像が構図確認用の画像であって、同一の言葉が複数の回数に亘って発せられたと前記音声認識部が所定時間内に認識した場合には、前記撮影条件設定部は、前記言葉に基づく前記指示入力の設定値を前記回数に応じて補正することを特徴とする撮像装置。
【請求項６】
請求項１から請求項５の何れか１項に記載の撮像装置において、
前記撮影条件変更部は、変更後の撮影条件を前記指示入力に応じて変更前の撮影条件に戻すことを特徴とする撮像装置。
【請求項７】
請求項１から請求項６の何れか１項に記載の撮像装置において、
前記撮影条件は、露出値、絞り値、シャッタ速度、ホワイトバランス補正値、ガンマ補正値の少なくとも１つを含むことを特徴とする撮像装置。
【請求項８】
請求項１から請求項７の何れか１項に記載の撮像装置において、
予め定められた複数の撮影シーンモードのうち、１つの撮影シーンモードを選択する選択部をさらに備え、
前記撮影条件設定部は、前記選択部が選択した撮影シーンモードが切り換わった場合、切り換わった撮影シーンモードに相応する条件を設定することを特徴とする撮像装置。
【請求項９】
被写体の像を撮像して画像を生成する撮像処理と、
前記画像の撮影条件を設定する撮影条件設定処理と、
前記撮像処理により撮像された画像に対応する表示画像を表示装置に表示させる表示制御処理と、
前記表示画像に対応する前記撮影条件の補正を施す指示入力を音声で受け付ける音声受付処理と、
前記音声受付処理により受け付けられた前記指示入力に応じて、前記撮影条件を変更させる撮影条件変更処理と、
をコンピュータに実行させることを特徴とする補正プログラム。
【請求項１０】
被写体の像を撮像して画像を生成する撮像処理と、
前記画像の撮影条件を設定する撮影条件設定処理と、
前記撮像処理により撮像された画像に対応する表示画像を表示装置に表示させる表示制御処理と、
前記表示画像に対応する前記撮影条件の補正を施す指示入力を音声で受け付ける音声受付処理と、
前記音声受付処理により受け付けられた前記指示入力に応じて、前記撮影条件を変更させる撮影条件変更処理と、
をコンピュータに実行させるための命令が記録されたコンピュータ可読な記録媒体。
【発明の詳細な説明】
【技術分野】
【０００１】
本発明は、電子カメラ等の撮像装置、補正プログラム及びそのプログラムが記録された記録媒体に関する。
【背景技術】
【０００２】
従来、音声を認識して、その音声による指示入力に従ってカメラ内部の制御を行う電子カメラが提案されている（例えば、特許文献１参照）。
【先行技術文献】
【特許文献】
【０００３】
【特許文献１】特開２００４−１８００５５号公報
【発明の概要】
【発明が解決しようとする課題】
【０００４】
ところで、電子カメラの撮影において、撮影者が構図を決めただけで撮影シーンを自動的に選択する撮影モードを用いた場合、撮影画像は、必ずしも撮影者の意図を反映するとは限らない。そのため、撮影者は、電子カメラによる撮影シーンの選択が適合しているもののどのように補正すれば良いのか分からないことがある。
【０００５】
そこで、本発明は、上記事情に鑑み、撮影条件を音声入力により容易に設定できる手段を提供することを目的とする。
【課題を解決するための手段】
【０００６】
本発明の一態様の撮像装置は、撮像部と、撮影条件設定部と、表示制御部と、音声受付部と、撮影条件変更部とを備える。撮像部は、被写体の像を撮像して画像を生成する。撮影条件設定部は、画像の撮影条件を設定する。表示制御部は、撮像部により撮像された画像に対応する表示画像を表示装置に表示させる。音声受付部は、表示画像に対応する撮影条件の補正を施す指示入力を音声で受け付ける。撮影条件変更部は、音声受付部により受け付けられた指示入力に応じて、撮影条件を変更させる。
【０００７】
本発明の一態様の補正プログラムは、被写体の像を撮像して画像を生成する撮像処理と、画像の撮影条件を設定する撮影条件設定処理と、撮像処理により撮像された画像に対応する表示画像を表示装置に表示させる表示制御処理と、表示画像に対応する撮影条件の補正を施す指示入力を音声で受け付ける音声受付処理と、音声受付処理により受け付けられた指示入力に応じて、撮影条件を変更させる撮影条件変更処理とをコンピュータに実行させることを特徴とする。
【０００８】
本発明の一態様の記録媒体は、被写体の像を撮像して画像を生成する撮像処理と、画像の撮影条件を設定する撮影条件設定処理と、撮像処理により撮像された画像に対応する表示画像を表示装置に表示させる表示制御処理と、表示画像に対応する撮影条件の補正を施す指示入力を音声で受け付ける音声受付処理と、音声受付処理により受け付けられた指示入力に応じて、撮影条件を変更させる撮影条件変更処理とをコンピュータに実行させるための命令が記録されたコンピュータ可読な記録媒体であることを特徴とする。
【発明の効果】
【０００９】
本発明は、撮影条件を音声入力により容易に設定できる手段を提供できる。
【図面の簡単な説明】
【００１０】
【図１】撮像装置の一例である電子カメラ１の構成例を説明するブロック図
【図２】電子カメラ１の筐体の正面図及び背面図
【図３】撮影シーンモードの種別を例示した図
【図４】音声登録の一例を説明する図
【図５】指示入力情報の一例を説明する図
【図６】電子カメラ１の動作の一例を示すフローチャート
【図７】図６に示す音声入力処理（ステップＳ１０４）のサブルーチンの一例を示すフローチャート
【図８】表示モニタ１６の表示例を示す図
【図９】指標と指定単語との対応付けの例を示す図
【図１０】指定単語と撮影条件の設定値との対応関係の一例を示す図
【図１１】コンピュータ５０の構成例を説明するブロック図
【発明を実施するための形態】
【００１１】
（第１実施形態）
以下、図面に基づいて本発明の実施の形態を詳細に説明する。図１は、撮像装置の一例である電子カメラ１の構成例を説明するブロック図である。ここで、第１実施形態の電子カメラ１は、音声入力により後述する撮影条件を変更できる音声指示入力モードを有している。音声指示入力モードでは、例えば撮影後の記録用の静止画像に対してその撮影者が複数の単語からなるコメントを述べた場合、そのコメントに応じて電子カメラ１が撮影条件を補正する。これにより、撮影者は、補正された撮影条件で再度撮影をすることができる。
【００１２】
電子カメラ１は、図１に示す通り、撮影光学系１０と、撮像部１１と、ＲＡＭ（Ｒａｎｄｏｍ  Ａｃｃｅｓｓ  Ｍｅｍｏｒｙ）１２と、画像処理部１３と、フラッシュメモリ１４と、表示インターフェース部（以下「表示Ｉ／Ｆ部」という）１５と、表示モニタ１６と、記録インターフェース部（以下「記録Ｉ／Ｆ部」という）１７と、音声処理部１８と、スピーカ１９と、第１マイク２０と、第２マイク２１と、発光部２２と、操作部２３と、レリーズ釦２４と、ＣＰＵ（Ｃｅｎｔｒａｌ  Ｐｒｏｃｅｓｓｉｎｇ  Ｕｎｉｔ）２５と、データバス２６とを備える。
【００１３】
このうち、撮像部１１、ＲＡＭ１２、画像処理部１３、フラッシュメモリ１４、表示Ｉ／Ｆ部１５、記録Ｉ／Ｆ部１７、音声処理部１８及びＣＰＵ２５は、データバス２６を介して互いに接続されている。また、発光部２２、操作部２３及びレリーズ釦２４は、ＣＰＵ２５に接続されている。
【００１４】
撮影光学系１０は、ズームレンズとフォーカスレンズとを含む複数のレンズ群で構成されている。なお、簡単のため、図１では、撮影光学系１０を１枚のレンズとして図示する。
【００１５】
撮像部１１は、レンズ駆動機構、絞り、シャッタ機構、撮像素子、ＡＦＥ（アナログフロントエンド）等からなる。この撮像部１１は、撮影光学系１０が結像した被写体の像の画像を生成する。なお、撮像素子は、ＣＣＤ（Ｃｈａｒｇｅ  Ｃｏｕｐｌｅｄ  Ｄｅｖｉｃｅ）型又はＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型のカラーイメージセンサである。撮像素子は、撮影光学系１０を介して取得された被写体の像に対応するアナログの電気信号をＡＦＥに出力する。ＡＦＥは、アナログの電気信号をデジタル信号（画像データ）に変換しデータバス２６に出力する。
【００１６】
ＲＡＭ１２は揮発性のメモリであり、撮像部１１（ＡＦＥ）が出力する画像データは、データバス２６を介して画像データとしてＲＡＭ１２に一時記録される。画像処理部１３は、ＲＡＭ１２に記録されている画像データを読み出し、各種の画像処理（階調変換処理、輪郭強調処理、ホワイトバランス処理等）を施す。
【００１７】
フラッシュメモリ１４は、書き換え可能な不揮発性の半導体メモリである。フラッシュメモリ１４には、電子カメラ１の制御を行うプログラム等が予め記録されている。ＣＰＵ２５は、このプログラムに従い、一例として後述の図６に示すフローの処理を実行する。
【００１８】
表示Ｉ／Ｆ部１５は、後述する表示制御部２５ａの指示を受け、ＲＡＭ１２に一時記録された再生用の静止画像や撮影モニタ用の画像や電子カメラ１の操作メニューを示す画像等を表示モニタ１６に出力する。表示モニタ１６は、例えば液晶表示媒体により構成される。
【００１９】
また、表示Ｉ／Ｆ部１５は、撮影待機時において、構図確認用のスルー画像を例えばモニタ表示用のライブビュー画像に変換する。具体的には、ＣＰＵ２５は、例えば、記録媒体３０に記録する記録用画像に比べて撮像部１１の撮像素子が出力する画像の解像度を低く設定する。解像度を低く設定して撮像された画像データ（スルー画像）は、例えば、３０フレーム毎秒（３０ｆｐｓ）で遂次ＲＡＭ１２に出力される。このＲＡＭ１２に逐次出力された画像データは、表示制御部２５ａの指示によりモニタ表示用のライブビュー画像として、表示Ｉ／Ｆ部１６を介して表示モニタ１６に再生表示される。
【００２０】
記録Ｉ／Ｆ部１７には、着脱自在の記録媒体３０を接続するためのコネクタ（不図示）が形成されている。そして、記録Ｉ／Ｆ部１７は、そのコネクタに接続された記録媒体３０にアクセスして静止画像の記録処理等を行う。この記録媒体３０は、例えば、カード型の不揮発性のメモリカードである。図１では、コネクタに接続された後の記録媒体３０を示している。
【００２１】
音声処理部１８は、第１マイク２０及び第２マイク２１の少なくとも一方を介して音声信号を取得し、取得された音声信号をＲＡＭ１２に一時記録する録音処理を行う。また、音声処理部１８は、ＲＡＭ１２に一時記録された音声信号をスピーカ１９を介して音声に変換し、その音声の出力処理を行う。なお、音声処理部１８は、取得された音声信号をフラッシュメモリ１４に記録しても良い。この場合、音声処理部１８は、フラッシュメモリ１４に記録された音声信号をスピーカ１９を介して音声に変換し、その音声の出力処理を行う。
【００２２】
また、音声処理部１８は、後述するように、撮影条件の補正を施すための指示入力を音声信号として受け付ける。このとき、音声処理部１８は、第１マイク２０及び第２マイク２１の少なくとも一方から入力されたアナログの音声信号をデジタルの音声信号に変換し、変換後の音声信号をＣＰＵ２５に出力する。
【００２３】
発光部２２は、ＣＰＵ２５の制御によりフラッシュ発光を行う。操作部２３は、例えば、後述するメニュー釦２３ａ、十字キー２３ｂ、電源ボタン２６等を介して、電子カメラ１を操作するための指示入力を受け付ける。レリーズ釦２４は、半押し操作（撮影前におけるオートフォーカス（ＡＦ）や自動露出（ＡＥ）等の動作開始の指示入力）と全押し操作（記録媒体３０に記録する記録用画像を取得するための撮像動作開始）との指示入力とを受け付ける。
【００２４】
ここで、図２を参照しつつ、電子カメラ１の第１マイク２０、第２マイク２１、スピーカ１９の配置例を説明する。図２は、電子カメラ１の筐体の正面図及び背面図である。電子カメラ１の筐体の正面（図２（ａ））には、撮影光学系１０と、閃光発光窓３１と、第２マイク２１とが備えられている。また、電子カメラ１の筐体の上面には、レリーズ釦２４と電源ボタン２６とが備えられている。
【００２５】
また、電子カメラ１の筐体の背面（図２（ｂ））には、表示モニタ１６と、スピーカ１９と、第１マイク２０と、メニュー釦２３ａと、十字キー２３ｂとが備えられている。メニュー釦２３ａは、操作メニュー画面を表示するための操作を撮影者から受け付ける。十字キー２３ｂは、電子カメラ１の操作メニューの設定条件を選択若しくは選択された処理を実行する操作キーである。なお、マイク、スピーカの数や配置は一例であって、例えば、第２マイク２１が、電子カメラ１の筐体の上面に備えられていても良い。
【００２６】
再び、図１の説明に戻り、ＣＰＵ２５は、各種演算及び電子カメラ１の統括的な制御を行うマイクロプロセッサである。ＣＰＵ２５は、上記のプログラムを実行することにより、電子カメラ１の各部の制御等を行う。ＣＰＵ２５は、表示制御部２５ａ、音声認識部２５ｂ、登録処理部２５ｃ、撮影条件設定部２５ｄ、撮影条件変更部２５ｅ、選択部２５ｆ及び顔検出部２５ｇとしても機能する。
【００２７】
表示制御部２５ａは、表示画像データ（ＲＡＭに一時記録された静止画像データ又はライブビュー画像データ）を表示Ｉ／Ｆ部１５を介して表示モニタ１６に再生して表示させる。また、表示制御部２５ａは、指示入力の内容を示す指標を音声入力に応じて表示画像に重畳表示させる（具体例は後述する）。
【００２８】
音声認識部２５ｂは、第１マイク２０及び第２マイク２１のうち少なくとも一方から取得した音声に基づく声紋情報を解析して、指示入力の有無及び指示入力の内容を認識する。例えば、音声認識部２５ｂは、音声処理部１８によりデジタル変換された音声信号の時間変化に伴う波形（音声の波形データ）を、声紋情報として抽出する。或いは、音声認識部２５ｂは、例えば音声信号を解析するためのＦＦＴ（フーリエ変換）処理等によって、声紋情報として、入力された音声の特徴量（音量、音程、周波数等）を抽出しても良い。或いは、音声処理部１８は、声紋情報として、ＦＦＴ処理等によって入力された音声のスペクトル（例えばフォルマント）等を抽出しても良い。音声認識部２５ｂは、例えば、撮影者が発した音声に基づく声紋情報を、予めフラッシュメモリ１４の記録領域に登録された後述の指示入力情報と照合することで、具体的な指示入力の処理内容を認識する。また、音声認識部２５ｂは、音声から声紋情報を抽出できた場合、その声紋情報をフラッシュメモリ１４の記録領域（登録部）に記録する。
【００２９】
登録処理部２５ｃは、指示入力を示す言葉（以下「指定単語」という。）と声紋情報とが対応付けられた指示入力情報をフラッシュメモリ１４の記録領域に記録する。
【００３０】
撮影条件設定部２５ｄは、撮影者によるライブビュー画像のモニター時において、撮影シーンに応じて画像の撮影条件を設定する。ここで、撮影条件は、撮像部１１が画像を撮像するための撮像条件と、撮像部１１により生成された画像を画像処理部１３が画像処理をするための画像処理条件とを含む。撮像条件は、例えば、露出値、絞り値、シャッタ速度等である。なお、撮影条件設定部２５ｄは、半押し操作の指示入力に応答して、撮像条件を設定する。
【００３１】
また、画像処理条件は、例えば、ホワイトバランス補正値、ガンマ補正値等である。したがって、撮影条件は、露出値、絞り値、シャッタ速度、ホワイトバランス補正値、ガンマ補正値の少なくとも１つを含む。なお、撮影条件には、上記に限られず、例えば、撮像感度、階調補正、エッジ強調、ノイズリダクションモード等の設定を撮影条件に加えても良い。これにより、撮影者は、上記の撮影条件を音声入力により変更することができる。
【００３２】
撮影条件変更部２５ｅは、音声処理部１８が受け付けた指示入力に応じて撮影条件を変更させる。また、撮影条件変更部２５ｅは、変更後の撮影条件を音声処理部１８が受け付けた指示入力に応じて変更前の撮影条件に戻す。これにより、撮影者は、撮影条件の変更のやり直しが行いやすくなる。
【００３３】
選択部２５ｆは、予め定められた複数の撮影シーンモードのうち、１つの撮影シーンモードを選択する。
【００３４】
図３は、撮影シーンモードの種別を例示した図である。本実施形態の撮影シーンモードには、例えば、おまかせシーン、ポートレート、風景、パーティー、海・雪、夕焼け、夜景、クローズアップ、料理、打ち上げ花火、モノクロコピー及び逆光等の公知の撮影シーンモードが備えられている。ここで、撮影者は、これらの撮影シーンモードの何れか１つを選択することができる。ＣＰＵ２５は、おまかせシーンモードの選択入力を十字キー２３ｂを介して受け付けると、選択部２５ｆは、スルー画像を解析して撮影の構図も含めて画像データから得られる色情報、輝度情報、及び、それらの示す画像内の位置等から、被写体や被写界の環境や被写体の構図を類推し撮影シーンを選択する。選択部２５ｆは、例えば、オート撮影、ポートレート、風景、夜景、夕焼け、クローズアップ、逆光のうちの何れか１つの撮影シーンモードを選択する。
【００３５】
なお、選択部２５ｆが選択した撮影シーンモードが切り換わった場合、撮影条件設定部２５ｄは、切り換わった撮影シーンモードに相応する撮影条件を設定する。これにより、撮影シーンモードが切り換わった場合には、その切り換わった撮影シーンモードに相応する撮影条件が優先的に設定される。
【００３６】
顔検出部２５ｇは、スルー画像に基づいて撮影画面内から人物の顔領域を検出する。具体的には、顔検出部２５ｇは、スルー画像の色情報や輝度情報を解析して、肌色領域を顔の領域として抽出する。選択部２５ｆは、顔検出部２５ｇが顔を検出した場合、さらにスルー画像の輝度情報から昼光と判断すると、人物の顔にピントを合わせるポートレートの撮影シーンモードを選択する。
【００３７】
次に、電子カメラ１の動作の一例を説明する。本実施形態では、撮影者自身の音声に基づく声紋情報を指定単語に対応付けるため、初期設定用の音声登録を予め行う。ここでは、撮影者は、メニュー画面での選択入力や初期設定用の音声登録の指示入力を十字キー２３ｂ等を介して行う。
【００３８】
図４は、音声登録の一例を説明する図である。音声指示入力モードにおいて、ＣＰＵ２５が初期設定用の音声登録の指示入力を受け付けた場合、登録処理部２５ｃは、例えば、大分類、中分類、小分類という階層構造に従って音声登録を行う。なお、登録処理部２５ｃは、小分類まで詳細に分けずに、大分類、中分類という階層構造に従って音声登録を行っても良い。以下、具体例を説明する。
【００３９】
図４（ａ）は、大分類の一例を説明する図である。図４（ｂ）及び（ｃ）は、中分類の一例を説明する図である。登録処理部２５ｃは、例えば、大分類として、「色」、「明るさ」、「シーン」、「機能」、「作用」、「量」等のクラス分けを行う。表示制御部２５ａは、例えば、表示モニタ１６に、「色」、「シーン」、「作用」に関する音声登録のメニュー画面を表示させる。ここで、登録処理部２５ｃが色に関する音声登録の選択入力を受け付けた場合、表示制御部２５ａは、例えば、表示モニタ１６に、色に関する音声登録の中分類の階層として、図４（ｂ）に示す中分類のメニュー画面を表示する。中分類のメニュー画面には、赤、青、緑、ホワイトバランス（ＷＢ）の色に関する指標が示されている。なお、登録処理部２５ｃは、図示しないが、色に関する音声登録の小分類の階層として、色に関する情報を細かく設定することが可能である。
【００４０】
ここで、登録処理部２５ｃが指定単語「赤」の選択入力を受け付けた場合、図４（ｂ）に示す通り、表示制御部２５ａは、「「赤」を示す単語を発声して下さい。」のメニューを表示する。この状態で、撮影者が「あか」と発声した場合、音声認識部２５ｂは、指定単語「赤」に対応するＣＰＵ２５の処理と、撮影者の発声（「あか」）から抽出された声紋情報とを対応付けて指示入力情報を作成する。なお、音声認識部２５ｂは、「あか」に限定されず他の任意の言葉（「ＲＥＤ（レッド）」、「あけ」、「紅（べに）」）、或いは撮影者が赤を想起する言葉を指定単語「あか」に対応付けても良い。また、撮影者が発声する言葉は、国籍、言語に関係なく、撮影者が「赤」を想起する単語であれば、何れの言葉であっても良い。また、音声認識部２５ｂは、指定単語「赤」に対して、例えば複数の言葉（「あか」、「ＲＥＤ（レッド）」、「明け（あけ）」、「紅（べに）」）と各々対応付けても良い。
【００４１】
つまり、音声認識部２５ｂは、指定単語に対応する処理と、声紋情報とを対応付けるので、撮影者は必ずしも指定単語と同一の単語を発声しなくても良い。したがって、撮影者が発声する単語が指定単語と同一の場合、単語同士の相関は高くなる。一方、撮影者が発声する単語が指定単語と異なる場合、撮影者にとっては、異なる単語も登録できるので利便性が高められる。
【００４２】
登録処理部２５ｃが図４（ｂ）に示す登録釦３２の指示入力を受け付けた場合、指示入力情報は、フラッシュメモリ１４に記録（登録）される。そして、表示制御部２５ａは、例えば「登録されました。」というメッセージを表示モニタ１６に表示させる。また、登録処理部２５ｃが図４（ｂ）に示す確認釦３３の指示入力を受け付けた場合、音声処理部１８は、登録された音声を順次再生する。例えば、指定単語「赤」に対して、撮影者により４つの単語が登録されていれば、音声処理部１８は、「赤（あか）」、「ＲＥＤ」、「紅（べに）」、「明け（あけ）」等の単語を音声信号に変換してスピーカ１９を介して再生する。
【００４３】
また、図４（ａ）に示すメニュー画面において、登録処理部２５ｃが作用に関する音声登録の選択入力を受け付けた場合、表示制御部２５ａは、例えば、表示モニタ１６に、作用に関する音声登録の中分類の階層として、図４（ｃ）に示す中分類のメニュー画面を表示する。中分類のメニュー画面には、「＋」、「−」、「×」、「ＯＫ」に関する指標が示されている。
【００４４】
ここで、登録処理部２５ｃが「＋」の選択入力を受け付けた場合、表示制御部２５ａは、図４（ｃ）に示す通り、「「増やす」を示す単語を発声して下さい。」のメニューを表示する。この状態で、撮影者が「ふやす」と発声した場合、音声処理部１８は、「ふやす」という音声に基づく声紋情報を抽出する。音声認識部２５ｂは、指定単語「増やす」に対応する処理と、撮影者の発声（「ふやす」）から抽出された声紋情報とを対応付けて指示入力情報を作成する。
【００４５】
図５は、指示入力情報の一例を説明する図である。指示入力情報は、指定単語（「赤」、「もっと」、「増やす」）に対して、撮影者の発声から抽出された声紋情報を各々対応付けている。図５に示す声紋情報（音声の波形データ）は、説明の便宜上、模式的に示したものである。図５において、横軸は時間を表し、縦軸は音量を示す値に対応する振幅を表している。ここで、各波形データは、「赤」、「もっと」、「増やす」について、波形が異なることを象徴的に表している。以上より、登録処理部２５ｃは、十字キー２３ｂを介して登録終了の指示入力を受け付けると、初期設定の音声登録を終了する。
【００４６】
次に、電子カメラ１の撮影時における動作の一例を説明する。図６は、電子カメラ１の動作の一例を示すフローチャートである。図７は、図６に示す音声入力処理（ステップＳ１０４）のサブルーチンの一例を示すフローチャートである。以下の動作例では、撮影モードとして「おまかせシーンモード」が選択されると共に、音声入力機能がオンになっている状態を前提とする。なお、図６に示すフローの処理に先立って、撮影条件設定部２５ｄは、上述した被写体や被写界の環境や被写体の構図を類推し撮影シーンを選択するおまかせシーンモードの処理によって撮影条件（例えば画像処理条件）を設定する。
【００４７】
ステップＳ１００：ＣＰＵ２５は、本撮影の指示入力の有無を検出する。具体的には、ＣＰＵ２５は、レリーズ釦２４による半押し操作及びそれに続く全押し操作の指示入力の有無を検出する。本撮影の指示入力を受け付けた場合（ステップＳ１００：Ｙｅｓ）、ＣＰＵ２５は、撮影条件設定部２５ｄが撮像条件を設定した後、ステップＳ１０１の処理に移行する。一方、本撮影の指示入力を受け付けない場合（ステップＳ１００：Ｎｏ）、ＣＰＵ２５は、ステップＳ１００の処理を繰り返す。
【００４８】
ステップＳ１０１：ＣＰＵ２５は、記録用の静止画像（本画像）の撮像（本撮影）処理を実行する。具体的には、ＣＰＵ２５は、レリーズ釦２４の全押し操作の指示入力に応答して、露出値、絞り、シャッタ速度等の撮像条件に基づいて撮像部１１の撮像素子を駆動する。撮像部１１は、画像信号のゲイン調整やＡ／Ｄ変換等を行う。撮像部１１が出力する画像信号は、ＲＡＭ１２に画像データとして一時記録される。画像処理部１３は、ＲＡＭ１２に記録されている画像データを読み出し、画像処理条件に基づいて、各種の画像処理（階調変換処理、輪郭強調処理、ホワイトバランス処理等）を施す。
【００４９】
ステップＳ１０２：ＣＰＵ２５の表示制御部２５ａは、ＲＡＭ１２に一時記録されている静止画像を表示モニタ１６に表示させる。図８は、表示モニタ１６の表示例を示す図である。図８（ａ）では、ステップＳ１０２での表示モニタ１６の表示例を示しており、おまかせシーンモードにおいて、選択部２５ｆがポートレートを選択した状態で静止画像が本撮影された例を示している。図８（ａ）の例では、表示制御部２５ａは、表示モニタ１６に静止画像を表示させると共にポートレートの選択状態を示すマークＭ９を重畳表示させる。上記の例において、静止画像には２人の人物が含まれている。なお、静止画像は昼光で撮影され、画像処理部１３により実行されたオートホワイトバランス機能により、やや青みがかった色の再現がなされているものとする。
【００５０】
ステップＳ１０３：ＣＰＵ２５は、撮影終了の指示入力の有無を判定する。撮影終了の指示入力を受け付けた場合（ステップＳ１０３：Ｙｅｓ）、ＣＰＵ２５は、後述するステップＳ１０７の処理に移行する。一方、撮影終了の指示入力を受け付けない場合（ステップＳ１０３：Ｎｏ）、ＣＰＵ２５は、ステップＳ１０４の処理に移行する。
【００５１】
ステップＳ１０４：ＣＰＵ２５は、音声入力処理のサブルーチンに移行する（図７参照）。そして、ＣＰＵ２５は、以下に説明するステップＳ２０１からステップＳ２０８の処理を行う。
【００５２】
ステップＳ２０１：ＣＰＵ２５は、撮影者の音声の録音を開始する。具体的には、ＣＰＵ２５は、十字キー２３ｂを介して、例えば第１マイク２０の録音を開始の指示入力を受け付ける。これにより、音声処理部１８は、第１マイク２０の録音を開始する。録音開始後に、撮影者は、図８（ａ）に示す静止画像を見ながら音声で撮影条件を補正するための指示を与える。例えば、撮影者は、赤の色成分を増やす補正を行うのか、青の色成分を減らす補正を行うのか、ホワイトバランス補正を行うのか、或いはガンマ補正を行うのか等、細かく指示入力をすることができる。
【００５３】
ステップＳ２０２：音声処理部１８は、音声の受付処理を行う。具体的には、音声処理部１８は、例えば第１マイク２０から入力されたアナログの音声信号をデジタルの音声信号に変換する。
【００５４】
ステップＳ２０３：音声認識部２５ｂは、デジタルの音声信号に基づいて声紋情報の解析処理を行う。具体的には、音声認識部２５ｂは、今回取得した音声に基づく声紋情報と、フラッシュメモリ１４に記録されている指示入力情報の声紋情報との照合を行う。そして、音声認識部２５ｂは、例えば、図５に示す指示入力情報のテーブルを参照し、撮影者が発した音声に基づく声紋情報に対応付けられた指定単語を特定する。
【００５５】
ステップＳ２０４：表示制御部２５ａは、音声認識部２５ｂが特定した指定単語を示す指標を表示モニタ１６に表示させる。一例として、図８（ｂ）では、「赤」、「もっと」、「増やす」にそれぞれ対応する指標（Ｍ１、Ｍ２、Ｍ２）が音声で入力された例を示している。この場合、表示制御部２５ａは、上記の３つの指示入力を示す指標を表示モニタ１６上の静止画像に重畳表示させる。これにより、撮影者は、指示入力を容易に確認することができる。なお、本実施形態の表示制御部２５ａは、異なる指定単語であっても、例えば補正量が同じであれば同じ指標を表示する。
【００５６】
図９は、指標と指定単語との対応付けの例を示す図である。図９（ａ）では、図８（ｂ）で上述した「赤」、「もっと」、「増やす」の各指定単語に対応する各指標（Ｍ１、Ｍ２、Ｍ２）を例示している。
【００５７】
図９（ｂ）では、「青」、「マイナス」の各指定単語に対応する各指標（Ｍ３、Ｍ４）を例示する。図９（ｂ）の指標の組み合わせは、例えば、画像内の青の色成分を減らす補正内容を意味する。図９（ｃ）では、「ホワイトバランス」、「赤」、「多く」の各指定単語に対応する各指標（Ｍ５、Ｍ１、Ｍ２）を例示している。なお、「赤」、「増やす」と表現された場合、「増やす」は、赤の補正量を増やすことを意味する。また、「赤」、「もっと」、「増やす」と表現された場合、「もっと」は、赤の補正量を増やす変化量の巾を調整することを意味する。
【００５８】
また、図９（ｄ）では、「コントラスト」、「減らす」の各指定単語に対応する各指標（Ｍ６、Ｍ４）を例示する。図９（ｄ）の指標の組み合わせは、コントラストを減らす補正内容を意味する。また、図９（ｅ）では、「明るさ」、「マイナス」の各指定単語に対応する各指標（Ｍ７、Ｍ４）を例示し、画像の明るさを減らす補正内容を意味する。また、図９（ｆ）では、「夜景」、「顔」、「明るく」の各指定単語に対応する各指標（Ｍ８、Ｍ９、Ｍ７）を例示する。図９（ｆ）の指標の組み合わせは、夜景の撮影シーンモードで人物の顔を明るくする補正内容を意味する。図９（ｇ）では、「色味」、「ダメ」の各指定単語に対応する各指標（Ｍ５、Ｍ１０）を例示する。図９（ｇ）の指標の組み合わせは、ホワイトバランスの補正内容を意味する。この場合、撮影者が表示モニタ１６に表示された静止画像を見て、「色味」、「ダメ」と発声した場合、表示制御部２５ａは、表示モニタ１６に図９（ｇ）に示す「色味」、「ダメ」の各単語に対応する各指標を表示させる。そして、表示制御部２５ａは、「ホワイトバランスの補正値を再設定します。」等のメッセージを表示モニタ１６に表示させる。さらに、ホワイトバランスの補正値が再設定された後、表示制御部２５ａは、「ホワイトバランスの補正値を再設定しました」等のメッセージを表示モニタ１６に表示させる。図９（ｈ）では、「赤」、「もっと」、「もっと」の各指定単語に対応する各指標（Ｍ１、Ｍ２、Ｍ２）を例示する。なお、図９（ｈ）については、実施形態の補足事項でより詳しく説明する。
【００５９】
ステップＳ２０５：撮影条件変更部２５ｅは、音声処理部１８により受け付けられた指示入力に応じて撮影条件を変更させる。この処理により、撮影者は、次回以降の撮影時には好みの撮影条件で本撮影できることとなる。具体的には、撮影条件変更部２５ｅは、指示入力に応じて撮影条件設定部２５ｄに指示を出して撮影条件の設定値を変更させる。なお、同じ単語であっても撮影シーンモードによっては、補正内容が異なる。すなわち、撮影条件設定部２５ｄは、各々の指定単語に基づく指示入力を一意に用いるのではなく、例えば、測光値、顔検出、構図等の検出結果の組み合わせで、補正値（重み係数）を掛け合わせたり、又は加算し、トータルの設定値（作用量）を決定する。そのため、撮影条件設定部２５ｄは、例えば、「赤」と「増やす」という指定単語が組み合わされた場合、撮影シーンモードによって異なる設定値を設定する。
【００６０】
図１０は、指定単語と撮影条件の設定値との対応関係の一例を示す図である。図１０では、指定単語に対応する設定値と、撮影シーンモード毎の補正値とを示している。本実施形態では、一例として「赤」という指定単語に関し、ホワイトバランス（ＷＢ）補正値、ガンマ補正値、カラー調整用のマトリクス（色空間の補正）の設定値のパラメータが関連付けされている。上記の各設定値は、予め各種実験等から導き出した値である。簡単のため、図１０では、「夜景」、「ポートレート」、「パーティー」の３通りの撮影シーンモードで上記設定値に対する補正値を例示している。実際には、他の撮影シーンモードについても補正値が定められている。また、指定単語と撮影条件の設定値との対応関係を示すテーブル（図１０）に対応する情報は、予めフラッシュメモリ１４に記録されている。また、「青」、「緑」のテーブル（不図示）についても同様に、予めフラッシュメモリ１４に記録されている。以下、撮影シーンモードがポートレートの場合について例示して説明する。
【００６１】
図１０において、一例としてホワイトバランス（ＷＢ）補正値（ＷＢｒ（赤）＝＋１．２、ＷＢｇ（緑）＝０．０、ＷＢｂ（青）＝０．０）は、「赤」に対するディフォルトの設定値である。さらに、撮影条件設定部２５ｄは、例えば、「赤」、「増やす」の指示があったときに、撮影シーンモードに応じて補正値をＷＢｒ（赤）に加算する。
【００６２】
また、一例としてガンマ補正値（Ｇｒ（赤）＝０．０、Ｇｇ（緑）＝０．０、Ｇｂ（青）＝−０．５）は、「赤」に対するディフォルトの設定値である。例えば、「赤」、「増やす」の指示があっても、撮影条件設定部２５ｄは、ガンマ補正値に対しては補正値を作用させない。
【００６３】
また、一例としてマトリクス（ＳＡＴ（彩度）＝＋０．１、Ｈｕｅ（色相）＝−２．５）は、「赤」に対するディフォルトの設定値である。画像処理部１３は、ディフォルトの状態において、彩度の値を＋０．１加算するマトリクス演算を撮影時に行う。ここで、撮影シーンモードがポートレートの場合、補正値は０．０であるので、「赤」に関する補正指示があっても、結果的にＳＡＴ（彩度）の設定値は、＋０．１（＝０．１＋０．０）のままになる。
【００６４】
また、Ｈｕｅ（色相）の補正は、いわゆる色相環の回転量（マイナス１８０度からプラス１８０度の範囲）に対応している。例えば、「赤」に対してマイナスの設定値の場合、画像処理部１３は、赤を基準として色相環の時計回り方向に色相を変化させるマトリクス演算を撮影時に行う。すなわち、補正される部分の色相は、回転量（角度）に応じて例えば「赤→橙→黄→緑→シアン」と変化する。また、「赤」に対してプラスの設定値の場合、画像処理部１３は、赤を基準として色相環の反時計回り方向に色相を変化させるマトリクス演算を撮影時に行う。すなわち、補正される部分の色相は、回転量に応じて例えば「赤→ピンク→マゼンタ→紫→青」と変化する。ここで、「赤」に対応するＨｕｅ（色相）のディフォルトの設定値は、−２．５である。画像処理部１３は、ディフォルトの状態において、赤色を基準として、２．５度時計周りに色相環を回転させる状態に相当するマトリクス演算を撮影時に行う。ここで、撮影シーンモードがポートレートの場合、補正値は０．０であるので、「赤」に関する補正指示があっても、結果的にＨｕｅ（色相）の設定値は、−２．５（＝−２．５＋０．０）のままになる。
【００６５】
また、一例として、ポートレートにおいて、「赤」、「もっと」、「増やす」と指示する場合のホワイトバランス（ＷＢ）補正値の変化を示す。ポートレートでのホワイトバランス（ＷＢ）補正値のＷＢｒのディフォルト値は、＋１．２である。撮影条件設定部２５ｄは、「増やす」の指示により、ＷＢｒを＋１．０加算し、「もっと」の指示により、ＷＢｒをさらに＋１．０加算する。したがって、上記の指示によって、ホワイトバランス（ＷＢ）補正値は、ＷＢｒ＝１．４（＝ＷＢｒのディフォルト値（＋１．２）＋０．１＋０．１）に補正される。
【００６６】
なお、本実施形態では、指定単語が音声入力された場合、撮影条件設定部２５ｄは、プログラム上では音声入力された指定単語を示すフラグをオンにする。一例として、撮影条件設定部２５ｄは、指定単語「赤」、「もっと」、「増やす」を示すフラグをそれぞれオンにする。これにより、撮影条件設定部２５ｄは、複数のオンされたフラグの組み合わせでトータルの設定値を決定する。ＣＰＵ２５は、次回の撮影に、補正した撮影条件に基づいて、撮影動作を行う。
【００６７】
ステップＳ２０６：ＣＰＵ２５は、撮影者の音声を認識することにより、撮影条件の設定内容の可否について判定する。例えば、撮影条件の設定を肯定する単語（例えば、「ＯＫ」や「良し」）又は否定する単語（例えば、「Ｎｏ」、「ダメ」）の認識により上記の判定を行う。ＣＰＵ２５は、設定内容が可であると判定した場合（ステップＳ２０６：Ｙｅｓ）、ステップＳ２０８の処理に移行する。一方、ＣＰＵ２５は、設定内容が否であると判定した場合（ステップＳ２０６：Ｎｏ）、ステップＳ２０７の処理に移行する。
【００６８】
ステップＳ２０７：撮影条件変更部２５ｅは、変更後の撮影条件を指示入力に応じて変更前の撮影条件に戻す。具体的には、撮影条件変更部２５ｅは、フラグの設定をキャンセルする。そして、ＣＰＵ２５は、ステップＳ２０２の処理に戻る。
【００６９】
ステップＳ２０８：ＣＰＵ２５は、例えば第１マイク２０からの音声の録音を終了する。そして、ＣＰＵ２５は、図７に示すステップＳ１０４のサブルーチンの処理を終了し、図６に示すステップＳ１０５の処理に戻る。
【００７０】
ステップＳ１０５：選択部２５ｆは、音声入力処理（ステップＳ１０４）の後、撮影者による構図の変化に伴う撮影シーンモードの切り換えの有無を判定する。撮影シーンモードの切り換えが発生した場合（ステップＳ１０５：Ｙｅｓ）、ＣＰＵ２５は、ステップＳ１０６の処理に移行する。一方、撮影シーンモードの切り換えがない場合（ステップＳ１０５：Ｎｏ）、ＣＰＵ２５は、再度、ステップＳ１００の処理に移行する。
【００７１】
ステップＳ１０６：撮影条件設定部２５ｄは、切り換わった撮影シーンモードに相応する撮影条件を設定する。具体的には、撮影条件設定部２５ｄは、図７に示すステップＳ２０５で設定した撮影条件をキャンセルし、新たな撮影シーンモードの撮影条件に切り換える。
【００７２】
例えば、撮影条件設定部２５ｄは、夕焼け撮影シーンモードから室内撮影（パーティー撮影シーンモード）に切り換わった場合、パーティー撮影シーンモードの撮影条件に変更する。そして、ＣＰＵ２５は、再度、ステップＳ１００の処理に移行する。
【００７３】
ステップＳ１０７：ＣＰＵ２５は、静止画像の画像データの記録処理を行う。具体的には、ＣＰＵ２５は、画像処理部１３で画像処理が施された画像データを、記録Ｉ／Ｆ部１７を介して、例えば、記録媒体３０に記録する。そして、ＣＰＵ２５は、図６に示すフローの処理を終了させる。
【００７４】
以上より、第１実施形態の電子カメラ１では、撮影条件の設定値を変更するに際し、撮影者は、例えば文章ではなく各指定単語に対応する単語の組み合わせの言葉を表現するだけで良い。これにより、電子カメラ１は、補正する撮影条件の設定値を特定することができる。したがって、電子カメラ１は、撮影条件を音声入力により容易に設定できる。
【００７５】
（第２実施形態）
次に、本発明の第２実施形態について説明する。第２実施形態では、記録媒体４０に記録されている補正プログラムをコンピュータにインストールして、上記の音声指示入力モードと同様の処理を実行する。
【００７６】
図１１は、コンピュータ５０の構成例を説明するブロック図である。なお、図１に示す電子カメラ１のブロック図と同様の機能のブロックについては、説明を省略又は簡略化する。図１１に示す通り、コンピュータ５０は、例えば可搬性のコンピュータであって、カメラ部５１と、本体部５０ａとを有する。本体部５０ａは、通信インターフェース部（以下「通信Ｉ／Ｆ部」という）５２と、ＲＡＭ５３と、フラッシュメモリ５４と、記録Ｉ／Ｆ部５５と、表示Ｉ／Ｆ部５６と、表示モニタ５７と、音声処理回路５８と、スピーカ５９と、マイク６０と、操作部６１と、ＣＰＵ６２と、データバス６３とを備える。
【００７７】
カメラ部５１は、撮影光学系５１ａと、撮像部５１ｂとを備える。通信Ｉ／Ｆ部５２は、カメラ部５１との通信インターフェースを提供する。これにより、撮像部５１ｂが出力する画像信号は、例えばＵＳＢ（Ｕｎｉｖｅｒｓａｌ  Ｓｅｒｉａｌ  Ｂｕｓ）接続により通信Ｉ／Ｆ部５２を介してＲＡＭ５３に記録される。フラッシュメモリ５４は、書き換え可能な不揮発性の半導体メモリである。フラッシュメモリ５４は、ＣＰＵ６２の制御により記録媒体４０に記録されているプログラムを格納する。
【００７８】
記録Ｉ／Ｆ部５５は、コネクタ（不図示）に接続された着脱自在の記録媒体４０にアクセスする。表示Ｉ／Ｆ部５６は、撮像部５１ｂが出力するスルー画像をライブビュー画像に変換する。そして、表示Ｉ／Ｆ部５６は、例えば、所定のフレームレートでライブビュー画像を表示モニタ５７に出力する。また、表示Ｉ／Ｆ部５６は、静止画像やコンピュータ５０の操作メニュー等を表示モニタ５７に出力する。なお、表示モニタ５７の表示画面上には、操作部６１の透明のタッチパネルが配置されているものとする。
【００７９】
音声処理回路５８は、マイク５９を介して入力されたアナログの音声信号をデジタルの音声信号に変換し声紋情報の特徴量を抽出する。また、音声処理回路５８は、スピーカ６０を介して音声出力処理を行う。
【００８０】
操作部６１は、表示モニタ５７の表面に配置された透明のタッチパネルである。操作部６１は、タッチパネル表面に接触した指先等の位置を検出して撮影者からの操作を受け付ける。また、操作部６１は、カメラ部５１のレリーズ釦の機能を有する。
【００８１】
ＣＰＵ６２は、コンピュータ５０の制御を行うプロセッサである。ＣＰＵ６２は、フラッシュメモリ５４に予め格納されたシーケンスプログラムを実行することにより、コンピュータ５０の各部の制御等を行う。また、ＣＰＵ６２は、記録媒体４０から補正プログラムをフラッシュメモリ５４に格納することにより、撮像処理部６２ａ、表示制御部６２ｂ、音声受付処理部６２ｃ、音声認識部６２ｄ、登録処理部６２ｅ、撮影条件設定部６２ｆ及び撮影条件変更部６２ｇとしても機能する。すなわち、補正プログラムは、撮像処理と、表示制御処理と、音声入力処理と、音声認識処理と、登録処理と、設定処理と、撮影条件変更処理とをＣＰＵ６２に実行させる。
【００８２】
撮像処理部６２ａは、操作部６１からの撮影の指示入力を受け付けることにより、撮像部５１ｂに撮像処理を行わせる。表示制御部６２ｂは、表示Ｉ／Ｆ部５６を介して例えば表示モニタ５７に静止画像やライブビュー画像を表示させたり、音声入力の際の指標等を表示させたりする。音声受付処理部６２ｃは、音声処理回路５８に音声の録音を行わせる。音声認識部６２ｄは、音声に基づく声紋情報を解析して、指示入力を認識する。登録処理部６２ｅは、指示入力と声紋情報との対応関係を示す指示入力情報をフラッシュメモリ５４に記録する。なお、登録処理部６２ｅは、電子カメラ１の撮影者がコンピュータ５０を操作するのであれば、電子カメラ１で作成された指示入力情報を流用しても良い。撮影条件設定部６２ｆは、画像の撮影条件を設定する。撮影条件変更部６２ｇは、音声認識処理部６２ｄが認識した指示入力に基づいて撮影条件を変更させる。
【００８３】
また、ＣＰＵ６２は、画像処理部６２ｈを備える。画像処理部６２ｈは、ＲＡＭ５３に記録されている画像データを読み出し、各種の画像処理を施す。また、画像処理部６２ｈは、画像データを解析することにより、第１実施形態で説明した選択部２５ｆや顔検出部２５ｇの処理も行う。なお、補正プログラムを用いたコンピュータ５０の動作については、図６、７で説明したフローの処理と同様であるので説明を省略する。
【００８４】
以上、本実施形態の補正プログラムによれば、撮影条件の設定値を変更するに際し、撮影者は、例えば文章ではなく各指定単語に対応する単語の組み合わせの言葉を表現するだけで良い。これにより、本実施形態の補正プログラムは、補正する撮影条件の設定値を特定することができる。したがって、本実施形態の補正プログラムは、撮影条件を音声入力により容易に設定できる。
【００８５】
なお、カメラ部５１と本体５０ａの通信Ｉ／Ｆ部５２とは、図１１に示す通り、ＵＳＢ接続により通信経路を確立した。これは、一例であって、カメラ部５１と本体５０ａの通信Ｉ／Ｆ部５２とは、インターネット網又は無線通信を介して通信経路を確立しても良い。
（上記実施形態の補足事項）
（１）上記実施形態では、静止画像（本画像）が撮像された後に、再度撮影するための撮影条件を音声入力により設定する場合について説明した。本発明は、これに限られず、例えば、撮影条件設定部２５ｄは、ライブビュー画像の取得時（本画像の撮影前）に対して撮影条件を音声入力により設定しても良い。この場合、表示制御部２５ａは、例えば、音声入力により設定されたホワイトバランスの補正に対して、その補正後のライブビュー画像を表示モニタ１６に表示させても良い。
【００８６】
また、静止画像（本画像）の取得後に、撮影条件変更部２５ｅは、音声処理部１８により受け付けられた指示入力に応じて取得した本画像の画像処理条件を変更しても良い。この場合は、再度本撮影を行わずに、画像処理部１３は、取得後の本画像に対して例えばホワイトバランスの補正を行う。そして、表示制御部２５ａは、変更後の画像処理条件で補正された静止画像を表示モニタ１６に表示させても良い。
【００８７】
（２）上記実施形態では、初期設定用の音声登録を予め行うことにより指示入力情報をフラッシュメモリ１４に記録した。登録処理部２５ｃは、静止画像の再生時やライブビュー画像の表示時に指示入力情報を記録しても良い。
【００８８】
例えば、撮影者が、表示モニタ１６に表示された静止画像を見て、「青」、「増やす」と発声する。この場合、音声認識部２５ｂは、「増やす」という声紋情報が登録されていないと、実際には「青」の色成分を増やす補正なのか、又は、「青」の色成分を減らす補正なのか判定できない。そこで、音声認識部２５ｂは、仮に、「青の色成分を減らす補正内容」と判定する。表示制御部２５ａは、図９（ｂ）に示す指標を表示モニタ１６に表示させる。この際、「−」の指標が表示されるため、撮影者にとっては、撮影者自身の意図に反していることが分かる。そこで、撮影者が、予め登録された否定の意味の指定単語（例えば「ダメ」）を発声すると、音声認識部２５ｂは、「青の色成分を増やす補正内容」と認識することができる。これにより、登録処理部２５ｃは、撮影者が音声で発した声紋情報「増やす」を、指定単語「増やす」に対応付けて指示入力情報としてフラッシュメモリ１４に記録する。したがって、次回以降「増やす」と発声された場合には、音声認識部２５ｂはフラッシュメモリ１４に改めて対応付けて記録された声紋情報「増やす」が指定単語「増やす」であると判定できるので、撮影者の意図を反映させた撮影条件を設定させることができる。
【００８９】
また、例えば、図９（ｈ）に示す通り、撮影者が、「赤」、「もっと」、「もっと」と発声した場合、音声認識部２５ｂは、今回取得した音声に基づく声紋情報「もっと」と、図５に示す既に登録済みの声紋情報「もっと」とを照合し、「もっと」の単語が２回発せられたと認識する。この場合、「もっと」に対応付けられている補正値が例えば＋０．１であれば、撮影条件設定部２５ｄは、「もっと」１回当たりの補正値を＋０．２に変更しても良い。そして、登録処理部２５ｃは、「もっと」１回当たりの補正値を＋０．２としてフラッシュメモリ１４に記録する。
【００９０】
また、ライブビュー画像を表示モニタ１６に表示した状態であっても、撮影者が、所定時間内に「赤」、「もっと」、「もっと」と発声した場合、音声認識部２５ｂは、静止画像の場合と同様にして「もっと」の単語が２回発声されたと認識する。この場合、撮影条件設定部２５ｄは、「もっと」１回当たりの補正値を＋０．２に変更しても良い。そして、登録処理部２５ｃは、「もっと」１回当たりの補正値を＋０．２としてフラッシュメモリ１４に記録する。このように補正値を変更することにより、次回以降に「もっと」と発声された場合に、撮影者は発声する単語を減らすことができるので、音声認識部２５ｂは少ない単語で音声認識をすることができる。ここで、ライブビュー画像の場合、所定時間内としたのは、補正対象となる画像はその後のフレームの画像になるため、露出等の撮影条件の変化を考慮したためである。
【００９１】
（３）上記実施形態では、撮影条件設定部２５ｄは、選択部２５ｆが選択した撮影シーンモードが切り換わった場合、切り換わった撮影シーンモードに相応する撮影条件を設定した。ここで、撮影条件設定部２５ｄは、例えば、夕焼け撮影シーンモードであっても、電子カメラ１に内蔵されている時計機能により夕闇がせまり夕日でなくなったと判定した場合には、自動的に夕焼け撮影シーンモードを解除しても良い。つまり、撮影条件設定部２５ｄは、音声入力による撮影条件の設定内容を時刻や経過時間で管理するようにしても良い。
【００９２】
（４）上記実施形態では、撮影者が静止画撮影（本撮影）をする場合について例示した。ここで、電子カメラ１は、いわゆるブラケティング撮影や連写撮影を行っても良い。例えば、ＡＥブラケティング撮影では、露出値を変えて記録用の静止画像を連続的に撮影する。この場合、表示制御部２５ａは、表示モニタ１６に撮影した複数の静止画像を縮小して表示させる。そして、ＣＰＵ２５は、撮影者が複数の画像のうちから選択した画像に対して図７に示すステップＳ１０４の音声入力処理のサブルーチンを実行するようにしても良い。
【００９３】
（５）上記実施形態において、第１マイク２０又は第２マイク２１の録音の開始及び終了のタイミングは、一例であって、例えば、撮影モードから再生モードに切り換わった場合に、ＣＰＵ２５は録音を開始させても良い。また、例えば、再生モードから撮影モードに切り換わった場合に、ＣＰＵ２５は録音を終了させても良い。
【００９４】
（６）上記実施形態において、コンピュータ５０は、第１実施形態の電子カメラ１の一部、例えば、ＣＰＵ２５、表示制御部２５ａ、音声認識部２５ｂ、登録処理部２５ｃ、撮影条件設定部２５ｄ、選択部２５ｆ、顔検出部２５ｇ及び音声処理部１８の機能をコンピュータで実現するようにしても良い。この場合、各機能を実現するためのプログラムをコンピュータ読み取り可能な記録媒体に記録して、この記録媒体に記録されたプログラムをコンピュータシステムに読み込ませ、実行することによって実現しても良い。
【００９５】
（７）なお、（６）でいう「コンピュータシステム」とは、ＯＳ（Ｏｐｅｒａｔｉｎｇ  Ｓｙｓｔｅｍ）や周辺機器のハードウェアを含むものとする。さらに（６）でいう「コンピュータ読み取り可能な記録媒体」と第２実施形態でいう「記録媒体４０」とは、フレキシブルディスク、光磁気ディスク、光ディスク、メモリカード等の可搬型記録媒体、コンピュータシステムに内蔵されるハードディスク等の記憶装置のことをいう。さらに前述の「コンピュータ読み取り可能な記録媒体」及び「記録媒体４０」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものを含んでも良い。また上記のプログラムは、前述した機能の一部を実現するためのものであっても良く、さらに前述した機能をコンピュータシステムに既に記録されているプログラムとの組み合わせにより実現するものであっても良い。
【符号の説明】
【００９６】
１・・・電子カメラ、１１、５１ｂ・・・撮像部、６２ａ・・・撮像処理部、２５ｄ、６２ｆ・・・撮影条件設定部、２５ａ、６２ｂ・・・表示制御部、１８・・・音声処理部、５８・・・音声処理回路、２５ｅ、６２ｇ・・・撮影条件変更部、３０、４０・・・記録媒体、５０・・・コンピュータ
【図１】
2012100214.tif 000003
【図２】
2012100214.tif 000004
【図３】
2012100214.tif 000005
【図４】
2012100214.tif 000006
【図５】
2012100214.tif 000007
【図６】
2012100214.tif 000008
【図７】
2012100214.tif 000009
【図８】
2012100214.tif 000010
【図９】
2012100214.tif 000011
【図１０】
2012100214.tif 000012
【図１１】
2012100214.tif 000013